(57)【要約】      （修正有）【課題】給水栓を備えた洗濯機用防水パンについて、給水栓を容易に操作可能であるとともに、施工後に給水配管と給水栓の接続確認を行うことが可能な洗濯機用防水パンの提供。【解決手段】洗濯機が載置される洗濯機用防水パンであって、洗濯機を載置する底壁部１１と、底壁部１１の周囲を囲む側壁部１２からなる防水パン本体１と、給水配管と連結される給水栓５及び給水量を調整する操作部５２を取り付けるための固定部２を備えている。給水栓５は固定部２によって防水パン本体１に固定され、操作部５２が洗濯機用防水パンの外側を向いて配置されていることから、洗濯機用防水パンの奥まで手を入れることなく清掃が可能となる。【選択図】図１
2019214905.tif 000002
【特許請求の範囲】
【請求項１】
洗濯機が載置される洗濯機用防水パンであって、
洗濯機を載置する底壁部と、
底壁部の周囲を囲む側壁部からなる防水パン本体と、
給水配管と連結される給水栓及び給水量を調整する操作部を取り付けるための固定部を備え、
給水栓は固定部によって防水パン本体に固定され、
操作部は洗濯機用防水パンの外側に向けて配置されるとともに、平面視において防水パン本体の外縁よりも内側に配置されることを特徴とする洗濯機用防水パン。
【請求項２】
前記防水パン本体は、
底壁部の四隅に形成された架台部を備え、
前記固定部は、隣接する架台部間に設けられていることを特徴とする請求項１に記載の洗濯機用防水パン。
【請求項３】
前記防水パン本体は、
底壁部の四隅に形成された架台部を備え、
前記固定部は、架台部の外側面に設けられていることを特徴とする請求項１に記載の洗濯機用防水パン。
【請求項４】
前記洗濯機用防水パンは、
架台部間の隙間を繋ぐカバーを備え、
当該カバーは操作部を操作するための操作孔を有することを特徴とする請求項２又は請求項３に記載の洗濯機用防水パン。
【請求項５】
前記給水栓は、
底壁部よりも上方において給水配管と接続されるとともに、
上記給水栓と給水配管との接続箇所が目視可能であることを特徴とする請求項１乃至請求項４のいずれか１つに記載の洗濯機用防水パン。
【請求項６】
前記洗濯機用防水パンは、
床下と屋内との連通箇所を閉塞する蓋部を備えることを特徴とする請求項１乃至請求項５のいずれか１つに記載の洗濯機用防水パン。
【発明の詳細な説明】
【技術分野】
【０００１】
本発明は、床面上に洗濯機を配置する際に、洗濯機を載置する洗濯機用防水パンに関するものである。
【背景技術】
【０００２】
従来より、洗濯機を床面上に配置する場合に、特許文献１に記載したような、底面と、底面を囲む側壁部と、洗濯機の脚部を載置する、底面の四隅に設けた架台部と、からなる洗濯機用防水パンを床面上に設置して、その架台部上に洗濯機を載置する構造が知られている。
また、洗濯機用防水パンの底面上には排水口が備えられ、この排水口に洗濯機用の排水トラップが取り付けられてなる。排水口は洗濯機用防水パンの底面上からの排水が流入すると共に、その中央部分にホース管の接続部分を設け、洗濯機からの排水が排出されるホース管が接続されるように構成されてなる。このようにして、洗濯機用防水パンに取り付けられた排水トラップは、洗濯機や洗濯機用防水パンの底面上の排水を下水側に排出処理するように構成されてなる。
更に、特許文献１の洗濯機用防水パンの架台部には、その内側側面に、洗濯機に給水を行う為の給水配管端部と接続される給水栓と、給水配管の通水を制御する操作部を備えてなる。
上記のように構成した洗濯機用防水パンにおいて、給水栓と操作部は、洗濯機用防水パンの施工前に、事前に洗濯機用防水パンに取り付けられてなる。また、洗濯機用防水パンの施工時に、給水栓は床下からの給水配管が接続されると共に、洗濯機の給水用の配管が接続され、操作部の操作によって給水栓が開栓されると、洗濯機に給水が行われるように構成されてなる。
【先行技術文献】
【特許文献】
【０００３】
【特許文献１】特開２０１７−２０１７８号
【発明の概要】
【発明が解決しようとする課題】
【０００４】
ここで、上記従来の洗濯機用防水パンは、使用者は給水栓の操作を行う際に架台部の内側側面にまで手を入れて操作部を操作する必要がある。しかし、架台部には洗濯機が載置されているため、当該操作は困難であるとともに、洗濯機と洗濯機用防水パンの間は汚れが堆積し易く、架台部の内側まで手を入れて操作を行うことは不快であった。又、洗濯機用防水パンの施工は、給水栓に給水配管を接続した上で、床面上に洗濯機用防水パンを設置することで行われる。このため、給水配管を給水栓に接続した後において、施工後の接続確認を行うことができない。従って、使用時における水漏れチェックや設備業者の施工後に建設業者が検査をすることは不可能であった。
【０００５】
本発明は上記問題に鑑み発明されたものであって、給水栓を容易に操作可能であるとともに、施工後に給水配管と給水栓の接続確認を行うことが可能な洗濯機用防水パンの提供を課題とする。
【０００６】
請求項１に記載の本発明は、洗濯機が載置される洗濯機用防水パンであって、
洗濯機を載置する底壁部と、
底壁部の周囲を囲む側壁部からなる防水パン本体と、
給水配管と連結される給水栓及び給水量を調整する操作部を取り付けるための固定部を備え、
給水栓は固定部によって防水パン本体に固定され、
操作部は洗濯機用防水パンの外側に向けて配置されるとともに、平面視において防水パン本体の外縁よりも内側に配置されることを特徴とする洗濯機用防水パンである。
【０００７】
請求項２に記載の本発明は、前記防水パン本体は、
底壁部の四隅に形成された架台部を備え、
前記固定部は、隣接する架台部間に設けられていることを特徴とする請求項１に記載の洗濯機用防水パンである。
【０００８】
請求項３に記載の本発明は、前記防水パン本体は、
底壁部の四隅に形成された架台部を備え、
前記固定部は、架台部の外側面に設けられていることを特徴とする請求項１に記載の洗濯機用防水パンである。
【０００９】
請求項４に記載の本発明は、前記洗濯機用防水パンは、
架台部間の隙間を繋ぐカバーを備え、
当該カバーは操作部を操作するための操作孔を有することを特徴とする請求項２又は請求項３に記載の洗濯機用防水パンである。
【００１０】
請求項５に記載の本発明は、前記給水栓は、
底壁部よりも上方において給水配管と接続されるとともに、
上記給水栓と給水配管との接続箇所が目視可能であることを特徴とする請求項１乃至請求項４のいずれか１つに記載の洗濯機用防水パンである。
【００１１】
請求項６に記載の本発明は、前記洗濯機用防水パンは、
床下と屋内との連通箇所を閉塞する蓋部を備えることを特徴とする請求項１乃至請求項５のいずれか１つに記載の洗濯機用防水パンである。
【発明の効果】
【００１２】
上記本発明によれば、給水栓は操作部が洗濯機用防水パンの外側を向いて配置されていることから、洗濯機用防水パンの奥まで手を入れることなく清掃が可能である。又、操作部が平面視において防水パン本体の外縁よりも内側に配置されることから、意匠性が向上すると共に、操作部がカバーや使用者等に干渉することを防ぐことができる。さらに、カバーは操作部が配置されている位置に操作孔が形成されていることから、使用者はカバーを取り外すことなく、操作部を操作することができる。
又、給水栓は底壁部よりも上方において給水配管と接続されており、当該接続が目視することが可能となる。従って、設備業者の施工後に建設業者が給水栓と給水配管との接続を確認することができる。
【図面の簡単な説明】
【００１３】
【図１】本発明の洗濯機用防水パンを示す分解斜視図である。
【図２】洗濯機用防水パンを示す斜視図である。
【図３】洗濯機用防水パンを示す上面図である。
【図４】防水パン本体を示す（ａ）断面斜視図（ｂ）断面図である。
【図５】洗濯機用防水パンを示す（ａ）断面斜視図（ｂ）図５（ａ）の要部拡大図である。
【図６】給水栓近傍を示す断面図である。
【図７】洗濯機が載置された状態を示す斜視図である。
【図８】第二実施形態を示す斜視図である。
【図９】第三実施形態を示す斜視図である。
【発明を実施するための形態】
【００１４】
以下に、本発明の洗濯機用防水パンを、図面を参照しつつ説明する。尚、以下に記載する説明は実施形態の理解を容易にするものであって、これによって本発明が制限して理解されるものではない。
本発明の第一実施形態に係る洗濯機用防水パンは図１乃至図６に示すように、防水パン本体１、固定部２、カバー３、閉塞部材４、給水栓５、給水配管６、排水トラップ７から成り、床面Ｆ上に設置されて、図７に示すように、洗面所の隅において洗濯機Ｓを載置するように構成されている。尚、図５及び図６に示す断面図においては、給水栓５以外を切断して示している。又、以下に記載する第一実施形態においては、固定部２が配置されている側を洗濯機用防水パンの手前側、反対側を奥側として記載を行う。
【００１５】
防水パン本体１は、一辺が約６０センチメートル四方の平面視正方形状を成す底壁部１１と、当該底壁部１１の周囲を囲む側壁部１２と、底壁部１１の四隅より上方に向かって立ち上がる架台部１３と、給水栓５が取り付けられる固定部２を有している。又、防水パン本体１は架台部１３間の隙間を覆うカバー３が取り付けられている。
底壁部１１は防水パン本体１上に生じた漏水等を受ける受け皿であり、排水トラップ７が取り付けられる取付孔１５と、後述する閉塞部材４が取り付けられる連通部１６が形成されている。連通部１６は床下から立ち上がる給水配管６が挿通される開口であり、その上方には固定部２が形成されている。又、連通部１６と固定部２の間には、防水パン本体１外側に向けて給水栓５と給水配管６の接続状態を確認するための点検窓１７が防水パン本体１の外側に向けて形成されている。
側壁部１２は防水パン本体１の外周を囲むように形成されており、その上端は架台部１３上端よりも低い。従って、後述する架台部１３と側壁部１２との間には、架台部１３上に洗濯機Ｓが載置された状態であっても使用者が手を入れることが可能な程度の空間が形成されている。
架台部１３は底壁部１１の四隅から立設された、平面視略正方形状の台座であって、洗濯機Ｓが載置されている。尚、手前側の架台部１３には凹部１４が形成されている。又、手前側の架台部１３には固定部２が隣接して形成されている。
固定部２は隣接する手前側の架台部１３の間であって、連通部１６及び点検窓１７の上方に形成され、後述する給水栓５を固定する開口である固定部２ａ、固定部２ｂから成る。尚、固定部２ａは給水栓５の操作部５２と接続される側の端部が固定される開口であって、固定部２ｂは給水栓５の給水ホース管１００と接続される側の端部が固定される開口である。固定部２ａ及び固定部２ｂは共に側壁部１２よりも上方において形成されているとともに、防水パン本体１の外側に向けて開口している。又、固定部２ａ及び固定部２ｂは共に平面視において防水パン本体１の外縁よりも内側に形成されている。
【００１６】
カバー３は架台部１３間の隙間を覆うことによって意匠性を向上させる化粧板であり、架台部１３間に配置された状態において水平方向に突設されて架台部１３間の隙間を上方から覆う上蓋部３１と、垂直方向に突設されて架台部１３間の隙間を側方から覆う横蓋部３２から構成されている。
上蓋部３１は両端から長手方向に向けて突設する凸部３４が形成されており、当該凸部３４が架台部１３の凹部１４に支持されることでカバー３が防水パン本体１に対して取り付けられる。又、カバー３が防水パン本体１に設置された状態において、上蓋部３１と架台部１３の上面と面一となる。
横蓋部３２は防水パン本体１の下端まで延設されているとともに、後述する給水栓５の操作部５２が配置されている箇所において操作孔３３が形成されている。
【００１７】
上記カバー３は、横蓋部３２に操作孔３３が形成されていることにより、カバー３が防水パン本体１に設置されている状態であっても、操作孔３３を通じて操作部５２を操作することが可能となっている。
【００１８】
閉塞部材４は連通部１６を閉塞し、床上空間と床下空間とを分断する板材であって、給水配管６が挿通可能なスリット４１と孔４２が形成されている。尚、当該閉塞部材４は給水配管６が挿通可能であり、且つ床下からの害虫の侵入を防ぐことが可能であれば良い。従って、閉塞部材４の材質や、スリット４１及び孔４２の形状は限定されるものではなく、ゴム板等の弾性材から構成されていても良い。
又、閉塞部材４は連通部１６ではなく点検窓１７を閉塞するように構成されていても良い。この場合においては、点検窓１７から給水栓５と給水配管６の接続状態が確認できるよう、閉塞部材４を透明の材質から構成しても良い。
【００１９】
給水栓５は継手管５１と、継手管５１に取り付けられた操作部５２、アダプター部５３より成る。
継手管５１は側面視略Ｔ字形状を成す継手であって、Ｔ字形状の下方の端部は床下から立ち上げられた給水配管６の端部と接続可能に構成されてなる。又、継手管５１の手前側の一端は、給水の水量を調整する操作部５２が螺合により取り付けられ、他端には洗濯機Ｓへの給水を行う給水ホース管１００を接続するためのアダプター部５３が螺合により取り付けられている。尚、施工完了時において、固定部２により固定された継手管５１の下端部分は、洗濯機用防水パンを設置する床面Ｆよりも高い位置となるように構成されている。このため、施工が完了した状態では、給水配管６の端部は床上にまで延出された状態となる。又、操作部５２は洗濯機用防水パンの外側（手前側）を向くとともに、図３に示すように、その端部が平面視において、防水パン本体１の外縁よりも内側に配置されている。尚、当該給水栓５の配置について詳述すると、操作部５２は給水栓５が配置されている位置から最も近い防水パン本体１の一辺（手前側の外縁）を向いているとともに、手前側の架台部１３の外側面や側壁部１２よりも内側に位置している。
上記のように、給水配管６が床面Ｆよりも上方に延出された状態で給水栓５に接続されることで、給水配管６の曲がり半径を大きくとることが可能となる。即ち、給水栓５と給水配管６が床下で接続される場合、床下空間の高さ幅のみで給水配管６を屈曲させる必要があるが、本発明のように給水栓５と給水配管６を床上で接続し、床下空間及び床面Ｆよりも上方の空間を利用して給水配管６を屈曲させる方が、給水配管６の曲がり半径を大きくすることができ、施工性が向上するとともに、給水配管６に負荷が掛かり難い。又、点検窓１７から給水栓５と給水配管６の接続を確認する作業も、床下空間に接続箇所があるよりも床上空間に接続箇所がある方が容易となる。
【００２０】
排水トラップ７は、防水パン本体１の取付孔１５に取り付けられる、排水を処理する部材であって、連結された排水ホース管２００を通じて洗濯機Ｓからの排水が流入する排水流路と、防水パン本体１上に生じた排水が流入する排水流路を備えている。排水トラップ７は、内部に流入した排水を貯留するとともに、当該貯留された排水によって、排水流路が排水で満たされる部分を形成することにより、下水側からの臭気や害虫が屋内へと逆流することを防止する機能を備えている。
【００２１】
上記洗濯機用防水パンが設置される床面Ｆは、その下方に床下空間を備えているとともに、当該床下空間に給水配管６及び排水配管（図示せず）が配設されている。ここで、給水配管６はその端部が上方に向けて屈曲され、給水栓５と接続されており、給水ホース管１００を通じて洗濯機Ｓに上水を供給する。一方、排水配管は排水トラップの排出口と接続されており、洗濯機Ｓや防水パン本体１からの排水を下水側へと排出する。
【００２２】
以下に、本発明の洗濯機用防水パンと洗濯機Ｓの施工方法の例を、図面を参照しつつ記載する。尚、以下の施工において、特に記載しない部分においても、水密的な接続が必要となる箇所は、接着やパッキング、コーキング剤が用いられて水密的な接続がなされるものである。
【００２３】
まず、防水パン本体１の固定部２に給水栓５を取り付ける。具体的には、固定部２ａと固定部２ｂに継手管５１を固定するとともに、継手管５１の手前側端部に操作部５２を接続し、奥側端部にアダプター部５３を接続する。この時、操作部５２は洗濯機用防水パンの外側に向けて配置されるとともに、平面視において操作部５２は防水パン本体１の外縁よりも内側に配置される。
次に、床下に配設されている給水配管６の端部を床上まで引き出し、連通部１６に挿通した状態で、床面Ｆよりも上方で給水配管６を継手管５１に接続した後、防水パン本体１を床面Ｆ上に載置する。この時、給水栓５と給水配管６の接続箇所は床面及び防水パン本体１の底壁部１１よりも上方であり、且つ点検窓１７から当該接続箇所が目視可能となる。
次に、連通部１６を閉塞部材４によって閉塞する。この時、床上空間と床下空間が分断され、床下空間より害虫等が屋内に侵入することを防ぐことが可能となる。
次に、床下配管に接続された排水トラップ７を取付孔１５に取り付ける。
次に、防水パン本体１を、固定ネジ等を用いて、床面Ｆの所定の位置に固定する。
次に、防水パン本体１の架台部１３に洗濯機Ｓを載置し、給水ホース管１００をアダプター部５３に接続するとともに、排水ホース管２００を排水トラップ７に接続する。
最後に、カバー３の凸部３４を隣接する手前側の架台部１３に形成された凹部１４に係合させ、上蓋部３１と横蓋部３２によって架台部１３間の隙間を覆う。
【００２４】
上記のように構成された洗濯機用防水パンと、当該洗濯機用防水パンに載置された洗濯機Ｓは、以下のように使用される。
洗濯機Ｓを使用し、洗濯を行う場合、洗濯機用防水パンに備えられた給水栓５の操作部５２を操作し、洗濯機Ｓに給水が可能な状態とする。この時、カバー３が取り付けられた状態であっても、使用者は操作孔３３を介して操作部５２を操作することができる。この状態にて洗濯機Ｓを使用することで、給水配管６、給水栓５、給水ホース管２００を介して洗濯機Ｓに給水が行われ、洗濯に利用される。
又、洗濯に使用された上記給水は、排水として排水ホース管２００、排水トラップ７、排水配管を通じて下水側へ排水される。
【００２５】
又、上記のように構成された洗濯機用防水パンについて、洗濯機Ｓや給水ホース管１００又は排水ホース管２００等が破損し、漏水が生じた場合、当該漏水は洗濯機用防水パンの底壁部１１にて受け止められ、排水トラップ７へと流入し、床下配管を通じて下水側へ排出される。
【００２６】
上記本発明においては、架台部１３の上端は操作部５２の上端よりも高い位置となるように構成されているため、防水パン本体１上に洗濯機Ｓが載置されていても、操作部５２が洗濯機Ｓに干渉することは無い。従って、使用者は操作部５２による給水栓５の開栓及び閉栓操作を容易に行うことができる。又、給水栓５は操作部５２が洗濯機用防水パンの外側を向いて配置されていることから、洗濯機用防水パンの奥まで手を入れることなく清掃が可能である。又、操作部５が平面視において防水パン本体１の外縁よりも内側に配置されることから、洗濯機用防水パンの意匠性が向上すると共に、操作部がカバーや使用者等に干渉することを防ぐことができる。さらに、カバー３は操作部５２が配置されている位置に操作孔３３が形成されていることから、使用者はカバー３を取り外すことなく、操作部５２を操作することができる。
又、カバー３を取り外すと、点検窓１７を介して給水栓５と給水配管６との接続を目視することが可能となる。これにより、設備業者の施工後に建設業者が給水栓５と給水配管６との接続を確認することができる。
又、本発明の洗濯機用防水パンは、給水配管６を床上まで引き出して継手管５１に接続することが可能であるため、施工が容易となる。尚、継手管５１と給水配管６は床面Ｆよりも上方において接続されているため、給水配管６の曲がり半径を大きく確保することが可能となり、給水配管６に負荷が掛かり難い。
【００２７】
本発明の第一実施形態は以上であるが、本発明は上記第一実施形態の形状に限られるものではなく、発明の要旨を逸脱しない範囲において種々の形状変更を行っても良い。例えば、上記第一実施形態において、固定部２は防水パン本体１と一体に形成されていたが、固定部２を別部材として、施工時に防水パン本体１に取り付けるように構成しても良い。
又、第一実施形態において、給水栓５は操作部５２が使用者側を向いて配置されており、洗濯機Ｓの扉と同一の方向を向いていたが、洗濯機Ｓの側方（図７における右下側）を向く様に配置しても良い。
又、第一実施形態において、カバー３は操作部５２を操作するための操作孔３３が形成されていたが、図８に示す第二実施形態のように、カバー３が給水栓５を覆わないようにすることで、操作部５２が常に外部に露出するように構成しても良い。尚、第二実施形態においては、横蓋部３２は側壁部１２の上端まで延設されており、カバー３が防水パン本体１に設置された状態において、横蓋部３２は架台部１３の外側面と面一となっている。
又、第一実施形態において、固定部２は隣接する架台部１３間に形成されていたが、図９に示す第三実施形態のように、架台部１３の外側面に設けられていても良い。尚、第三実施形態においては、架台部１３の下端近傍に点検窓１７が形成されている。
【符号の説明】
【００２８】
１              防水パン本体
１１            底壁部
１２            側壁部
１３            架台部
１４            凹部
１５            取付孔
１６            連通部
１７            点検窓
２、２ａ、２ｂ  固定部
３              カバー
３１            上蓋部
３２            横蓋部
３３            操作孔
３４            凸部
４              閉塞部材
４１            スリット
４２            孔
５              給水栓
５１            継手管
５２            操作部
５３            アダプター部
６              給水配管
７              排水トラップ
１００          給水ホース管
２００          排水ホース管
Ｓ              洗濯機
Ｆ              床面
【図１】
2019214905.tif 000003
【図２】
2019214905.tif 000004
【図３】
2019214905.tif 000005
【図４】
2019214905.tif 000006
【図５】
2019214905.tif 000007
【図６】
2019214905.tif 000008
【図７】
2019214905.tif 000009
【図８】
2019214905.tif 000010
【図９】
2019214905.tif 000011